(57)【要約】      （修正有）【課題】一連の複数の情報に対応する一連の複数画像の視認性を向上させる。【解決手段】表示装置は、一連の複数のカード画像８１〜８７の夫々を、スクロール操作の内容に応じて第１方向に沿って移動表示させ、第２方向に沿って往復して移動表示させる。また、一連の複数のカード画像８１〜８７の夫々の表示位置の第２方向への変位に応じて、一連の複数のカード画像８１〜８７の夫々の表示の重ね合わせの順番を決定し、当該順番にしたがって一連の複数のカード画像の夫々を重ね合わせて表示させる。【選択図】図４
2014026444.tif 000002
【特許請求の範囲】
【請求項１】
一連の複数の情報の夫々に対応する一連の複数の画像を順次に重ね合わせて、かつ、第１方向に並べて、所定の表示デバイスに表示させる初期画像表示制御手段と、
ユーザによる前記第１方向へのスクロール操作を受け付けるスクロール操作受付手段と、
前記初期画像表示制御手段の制御により前記表示デバイスに表示された前記一連の複数の画像の夫々を、前記スクロール操作受付手段が受け付けた前記スクロール操作に応じて、前記第１方向に沿って前記表示デバイスに移動表示させる第１方向移動表示制御手段と、
前記第１方向移動表示制御手段により移動表示される前記一連の複数の画像の夫々を、前記第１方向と略直交する第２方向に沿って往復して前記表示デバイスに移動表示させる第２方向移動表示制御手段と、
前記第１方向移動表示制御手段及び前記第２方向移動表示制御手段の制御により前記表示デバイスに移動表示された前記一連の複数の画像の夫々の表示位置の前記第２方向への変位に応じて、当該一連の複数の画像の夫々の重ね合わせの順番を決定し、当該順番にしたがって前記一連の複数の画像の夫々を重ね合わせて前記表示デバイスに表示させる重ね合わせ順番決定手段と、
を備える表示制御装置。
【請求項２】
前記重ね合わせ順番決定手段は、表示位置の前記第２方向への変位が大きい前記画像ほど、重ね合わせの前記順番が上位になるように決定し、表示させる、
請求項１に記載の表示制御装置。
【請求項３】
前記一連の複数の画像の夫々についての、前記表示デバイスにおける表示サイズは一定である、
請求項１又は２に記載の表示制御装置。
【請求項４】
ユーザによる第１方向へのスクロール操作を受け付けるスクロール操作受付手段を備える表示制御装置における表示制御方法であって、
一連の複数の情報の夫々に対応する一連の複数の画像を順次に重ね合わせて、かつ、前記第１方向に並べて、所定の表示デバイスに表示させる初期画像表示制御ステップと、
前記初期画像表示制御ステップにより前記表示デバイスに表示された前記一連の複数の画像の夫々を、前記スクロール操作受付手段が受け付けた前記スクロール操作に応じて、前記第１方向に沿って前記表示デバイスに移動表示させる第１方向移動表示制御ステップと、
前記第１方向移動表示制御ステップにより移動表示される前記一連の複数の画像の夫々を、前記第１方向と略直交する第２方向に沿って往復して前記表示デバイスに移動表示させる第２方向移動表示制御ステップと、
前記第１方向移動表示制御ステップ及び前記第２方向移動表示制御ステップにより前記表示デバイスに移動表示された前記一連の複数の画像の夫々の表示位置の前記第２方向への変位に応じて、当該一連の複数の画像の夫々の重ね合わせの順番を決定し、当該順番にしたがって前記一連の複数の画像の夫々を重ね合わせて前記表示デバイスに表示させる重ね合わせ順番決定ステップと、
を含む表示制御方法。
【請求項５】
ユーザによる第１方向へのスクロール操作を受け付けるスクロール操作受付手段を備える表示制御装置として用いられるコンピュータに、
一連の複数の情報の夫々に対応する一連の複数の画像を順次に重ね合わせて、かつ、前記第１方向に並べて、所定の表示デバイスに表示させる初期画像表示制御ステップと、
前記初期画像表示制御ステップにより前記表示デバイスに表示された前記一連の複数の画像の夫々を、前記スクロール操作受付手段が受け付けた前記スクロール操作に応じて、前記第１方向に沿って前記表示デバイスに移動表示させる第１方向移動表示制御ステップと、
前記第１方向移動表示制御ステップにより移動表示される前記一連の複数の画像の夫々を、前記第１方向と略直交する第２方向に沿って往復して前記表示デバイスに移動表示させる第２方向移動表示制御ステップと、
前記第１方向移動表示制御ステップ及び前記第２方向移動表示制御ステップにより前記表示デバイスに移動表示された前記一連の複数の画像の夫々の表示位置の前記第２方向への変位に応じて、当該一連の複数の画像の夫々の重ね合わせの順番を決定し、当該順番にしたがって前記一連の複数の画像の夫々を重ね合わせて前記表示デバイスに表示させる重ね合わせ順番決定ステップと、
を実行させるプログラム。
【発明の詳細な説明】
【技術分野】
【０００１】
本発明は、表示制御装置、表示制御方法及びプログラムに関する。
【背景技術】
【０００２】
従来から、一連の複数の情報に対応する一連の複数の画像をスクロールして移動表示させて、視認性を向上させる表示制御装置が知られている（特許文献１参照）。
【先行技術文献】
【特許文献】
【０００３】
【特許文献１】特開２００９−１４００８３号公報
【発明の概要】
【発明が解決しようとする課題】
【０００４】
このような特許文献１に記載の表示制御装置よりも、一連の複数の情報に対応する一連の複数の画像の視認性を向上させて欲しいという要望が挙げられている現状である。
【０００５】
本発明は、このような状況に鑑みてなされたものであり、一連の複数の情報に対応する一連の複数画像の視認性を向上させることを目的とする。
【課題を解決するための手段】
【０００６】
上記目的を達成するため、本発明の一態様の表示制御装置は、
一連の複数の情報の夫々に対応する一連の複数の画像を順次に重ね合わせて、かつ、第１方向に並べて、所定の表示デバイスに表示させる初期画像表示制御手段と、
ユーザによる前記第１方向へのスクロール操作を受け付けるスクロール操作受付手段と、
前記初期画像表示制御手段の制御により前記表示デバイスに表示された前記一連の複数の画像の夫々を、前記スクロール操作受付手段が受け付けた前記スクロール操作に応じて、前記第１方向に沿って前記表示デバイスに移動表示させる第１方向移動表示制御手段と、
前記第１方向移動表示制御手段により移動表示される前記一連の複数の画像の夫々を、前記第１方向と略直交する第２方向に沿って往復して前記表示デバイスに移動表示させる第２方向移動表示制御手段と、
前記第１方向移動表示制御手段及び前記第２方向移動表示制御手段の制御により前記表示デバイスに移動表示された前記一連の複数の画像の夫々の表示位置の前記第２方向への変位に応じて、当該一連の複数の画像の夫々の重ね合わせの順番を決定し、当該順番にしたがって前記一連の複数の画像の夫々を重ね合わせて前記表示デバイスに表示させる重ね合わせ順番決定手段と、
を備える。
【発明の効果】
【０００７】
本発明によれば、一連の複数の情報に対応する一連の複数の画像の視認性を向上させることができる。
【図面の簡単な説明】
【０００８】
【図１】本発明の一実施形態に係る表示制御装置のハードウェアの構成を示すブロック図である。
【図２】図１の表示制御装置の機能的構成のうち、スクロール表示処理を実行するための機能的構成を示す機能ブロック図である。
【図３】連続情報格納テーブルの例を示す図である。
【図４】スクロール表示処理における表示部の表示例を示す模式図である。
【図５】図２の機能的構成を有する図１の表示制御装置が実行するスクロール表示処理の流れを説明するフローチャートである。
【発明を実施するための形態】
【０００９】
以下、本発明の実施形態について、図面を用いて説明する。
【００１０】
図１は、本発明の実施形態に係る表示制御装置のハードウェアの構成を示すブロック図である。
【００１１】
表示制御装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、タッチパネル１６と、表示部１７と、記憶部１８と、通信部１９と、ドライブ２０と、を備えている。
【００１２】
ＣＰＵ１１は、ＲＯＭ１２に記録されているプログラム、又は、記憶部１８からＲＡＭ１３にロードされたプログラムにしたがって各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、タッチパネル１６、表示部１７、記憶部１８、通信部１９及びドライブ２０が接続されている。
【００１５】
タッチパネル１６は、表示部１７の表示画面に積層される静電容量式又は抵抗膜式のタッチパネルとして構成され、タッチ操作がなされた位置の座標を検出する。ここで、タッチ操作とは、タッチパネル１６に対する物体（ユーザの指やタッチペン等）の接触又は近接の操作をいう。
表示部１７は、ディスプレイにより構成され画像を表示する。
記憶部１８は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部１９は、インターネットを含むネットワークを介して他の装置（図示せず）との間で行う通信を制御する。
【００１６】
ドライブ２０には、磁気ディスク、光ディスク、光磁気ディスク、或いは半導体メモリ等よりなる、リムーバブルメディア３１が適宜装着される。ドライブ２０によってリムーバブルメディア３１から読み出されたプログラムは、必要に応じて記憶部１８にインストールされる。また、リムーバブルメディア３１は、記憶部１８に記憶されている画像のデータ等の各種データも、記憶部１８と同様に記憶することができる。
【００１７】
図２は、表示制御装置１の機能的構成のうち、スクロール表示処理を実行するための機能的構成を示す機能ブロック図である。
スクロール表示処理とは、順次に重ね合わせられて且つ所定の方向（以下、「第１方向」と呼ぶ）に並べられて表示された一連の複数の画像の夫々を所定の方向にスクロールさせて移動表示させると共に、所定の方向と略直交する方向（以下、「第２方向」と呼ぶ）に往復して移動表示させる処理をいう。これにより、当該一連の複数の画像のうち所定の１枚に着目すると、所定の１枚の画像が全体として略くの字又は略円弧を描くように移動表示される。
さらに、スクロール表示処理においては、一連の複数の画像の夫々について、第２方向への変位がより大きい画像ほど、重ね合わせの順番が上位になるように表示される。ここで、第２方向への変位とは、一連の複数の画像が表示されている表示部１７の表示面における所定の基準点に対して、一連の複数の画像の夫々がどのくらい第２方向へずれて表示されているかを表す量のことをいう。
【００１８】
ＣＰＵ１１においては、スクロール表示処理の実行が制御される場合、初期画像表示制御部４１と、第１方向移動表示制御部４２と、第２方向移動表示制御部４３と、重ね合わせ順番決定部４４と、が機能する。また、第１方向移動表示制御部４２においては、第１方向移動量算出部５１が機能する。さらに、第２方向移動表示制御部４３においては、第２方向移動量算出部５２が機能する。
なお、初期画像表示制御部４１乃至第２方向移動表示制御部４３がＣＰＵ１１で機能することは例示に過ぎない。即ち、初期画像表示制御部４１乃至第２方向移動表示制御部４３の機能の少なくとも一部を、ＣＰＵ１１以外の他の構成要素（例えば図示せぬ画像処理用の専用プロセッサ等）に移譲させることも可能である。
【００１９】
スクロール表示処理が開始されると、初期画像表示制御部４１は、記憶部１８に格納された連続情報格納テーブル（図３参照）から、一連の情報を取得する。ここで、連続情報格納テーブルとは、表示部１７に表示される一連の複数の画像の基となる一連の複数の情報が格納されたテーブルのことをいう。
図３の例では、連続情報格納テーブルは、識別番号と氏名等の各項目が対応付けられて構成されている。
連続情報格納テーブルにおいて、所定の１行は、所定の人物に対応している。即ち、連続情報格納テーブルには、所定の団体に属する複数の人物の各々の個人情報等が１行毎に格納されている。
具体的には、１行目に対応付けられた人物に対しては、識別番号として「０００１」が予め付されている。このため、識別番号「０００１」、当該人物の氏名「青木一郎」、及びその他当該人物の個人情報が対応付けられて１行目に格納されている。識別番号が「０００２」〜「０００７」の情報についても同様である。
初期画像表示制御部４１は、一連の複数の情報として、連続情報格納テーブルから、識別番号が「０００１」〜「０００７」の夫々の各情報を取得する。
【００２０】
続いて、初期画像表示制御部４１は、取得した一連の複数の情報の各々を含めたカード状の複数の画像（以下、「カード画像」と呼ぶ）のデータを生成し、一連の当該複数のカード画像を所定の順番で積層するように表示部１７に表示させる。
【００２１】
一連の複数のカード画像の表示の具体例としては、図４（ａ）に示されるように、「青木一郎」に対応するカード画像８１、「青山次郎」に対応するカード画像８２、「井川太郎」に対応するカード画像８３、「井上次郎」に対応するカード画像８４、「宇野一郎」に対応するカード画像８５、「枝野一郎」に対応するカード画像８６、及び「小川太郎」に対応するカード画像８７が、重ね合わされて、かつ、スクロール方向（以下、「第１方向」と呼ぶ）に並べられて表示されている。なお、カード画像８１〜８７の表示サイズ（解像度）は、同一であるものとする。即ち、カード画像８１〜８７の形状は、略長方形であり、縦横の長さ（即ち面積）は一定である。
また、カード画像８１〜８７の各々は、スクロールして移動する際には、当該スクロール方向と略直交する方向（以下、「第２方向」と呼ぶ）に変位して表示されていく。ここで、カード画像８１〜８７のうち、第２方向の変位が大きい画像ほど重ね合わせ順番が上位になるように表示される。
図４（ａ）の例では、カード画像８２の第２方向の変位が一番大きいので、カード画像８２が、重ね合わせ順番が第１位となって、一番上に表示される。その他の画像についても第２方向の変位の大きい順番に重ね合わせの順番が上位になって、当該順に重ね合わされて表示される。
また、カード画像８１〜８７の各々には、上端と下端との両方に「氏名」が表示されている。このように氏名が表示されることにより、各カード画像８１〜８７の重ね合わせ順番がどのような順番になっても、ユーザは、各カード画像８１〜８７の各々に対応する氏名を容易に視認できる。
【００２２】
初期画像表示制御部４１により、一連の複数のカード画像８１〜８７が表示されると、第１方向移動表示制御部４２は、タッチパネル１６に対するユーザのタッチ操作の位置（タッチパネル１６の接触位置）の時間的推移からスクロール操作を検出して、カード画像８１〜８７の各々の第１方向への移動表示を制御する。
具体的には、第１方向移動表示制御部４２は、第１方向移動量算出部５１を機能させる。第１方向移動量算出部５１は、当該スクロール操作の第１方向成分を抽出して、抽出した第１方向成分に基づいて、カード画像８１〜８７の各々の第１方向への移動量を算出する。なお、カード画像８１〜８７の第１方向への各々の移動量は、一律に算出される。
続いて、第１方向移動表示制御部４２は、表示部１７に、カード画像８１〜８７の各々を当該移動量だけ第１方向に移動表示させる。
【００２３】
第１方向移動表示制御部４２により、カード画像８１〜８７の各々が第１方向に移動表示されている最中に、第２方向移動表示制御部４３は、カード画像８１〜８７の各々の第２方向への移動表示を制御する。具体的には、第２方向移動表示制御部４３は、第２方向移動量算出部５２を機能させる。第２方向移動量算出部５２は、第１方向移動量算出部５１により算出されたカード画像８１〜８７の各々の第１方向成分への移動量に基づいて、カード画像８１〜８７の各々の第２方向への移動量を算出する。
例えば、図４（ａ）を参照して説明すると、重ね合わせ順番が第一位、即ち一番上に表示されるカード画像８２を基準画像とした場合、その基準画像に対して第１方向の逆方向側に表示されるカード画像８３〜８７の各々については、第２方向に移動表示されるように移動量が算出される。一方、基準画像たるカード画像８２、及び当該基準画像よりも第１方向側に表示されるカード画像８１については、第２方向とは逆方向側に移動表示されるように移動量が算出される。
即ち、第２方向を正方向とすると、基準画像（カード画像８２）からみて、第１方向の逆方向側のカード画像８３〜８７については、正方向への移動量が算出され、基準画像（カード画像８２）及び第１方向側のカード画像８１については、負方向への移動量が算出される。
続いて、第２方向移動表示制御部４３は、表示部１７に、カード画像８１〜８７の各々を当該移動量だけ第２方向又はその逆方向に移動表示させる。
【００２４】
第２方向移動表示制御部４３により、カード画像８１〜８７の各々が第２方向に移動表示されると、重ね合わせ順番決定部４４は、カード画像８１〜８７の各々の第２方向への変位に基づいて、カード画像８１〜８７の各々の重ね合わせ順番を決定する。具体的には、重ね合わせ順番決定部４４は、カード画像８１〜８７夫々について、第２方向への変位が大きい画像ほど重ね合わせ順番が上位になるように決定する。
さらに、重ね合わせ順番決定部４４は、決定された重ね合わせ順番でカード画像８１〜８７の各々を重ね合わせるように表示部１７に表示させる。
以上、第１方向移動表示制御部４２、第２方向移動表示制御部４３、及び重ね合わせ順番決定部４４により、カード画像８１〜８７の各々が全体として略くの字又は略円弧を描くように移動表示される。さらに、カード画像８１〜８７の各々のうち、第２方向への変位がより大きいものほど、重ね合わせの順番が上位になるように表示される。したがって、第２方向への変位が最大となるカード画像が一番上になるように表示されるので、注目されるべき情報に対応する画像の視認性が向上される。
また、カード画像８１〜８７の表示サイズ（解像度）は一定である。したがって、カード画像８１〜８７の夫々が、実際のカードをめくっているようにスクロール表示されるので、表示サイズが変化しなくても、注目されるべき情報に対応する画像の視認性が向上される。
【００２５】
ここで、図４を参照して、カード画像８１〜８７の具体的な移動表示例について説明する。
図４（ａ）において、タッチパネル１６に対するユーザのタッチ操作の位置（タッチパネル１６への指９１の接触位置）を第１方向側に移動させる操作、即ちスクロール操作が実行されると、カード画像８１及び８２は、第１方向に移動表示されると共に第２方向の逆方向側に移動表示される。また、カード画像８３〜８７は、第１方向に移動表示されると共に第２方向に移動表示される。
その途中で、図４（ｂ）に示すように、カード画像８３の第２方向の変位がカード画像８１の第２方向の変位よりも大きくなり、重ね合わせの順番がカード画像８３，８１の順番になるため、カード画像８３がカード画像８１の上に重なるように表示される。
さらに、第１方向側へのスクロール操作が実行されると、図４（ｃ）に示すように、カード画像８３の第２方向の変位がカード画像８２の第２方向の変位よりも大きくなる。よって、カード画像８３の重ね合わせの順番が最上位になるため、カード画像８３が一番上になるように表示される。さらに、カード画像８４の第２方向の変位がカード画像８１の第２方向の変位よりも大きくなり、重ね合わせの順番がカード画像８４，８１の順番になるため、カード画像８４がカード画像８１の上に重なるように表示される。
【００２６】
次に、図５を参照して、このような図２の機能的構成の表示制御装置１が実行するスクロール表示処理について説明する。
図５は、図２の機能的構成を有する図１の表示制御装置１が実行するスクロール表示処理の流れを説明するフローチャートである。
【００２７】
スクロール表示処理は、ユーザによるタッチパネル１６へのタッチ操作のうち、スクロール表示処理の開始を指示する所定の操作を契機に開始される。
【００２８】
ステップＳ１において、初期画像表示制御部４１は、記憶部１８に格納された連続情報格納テーブルから一連の複数の情報を取得して、当該一連の複数の情報に基づいて一連の複数のカード画像（上述の図４の例ではカード画像８１〜８７）のデータを生成して、当該一連の複数のカード画像の各々をデフォルトの順番で重ね合わせて表示部１７に表示させる。一連の複数のカード画像のデータとして、図４の例のカード画像８１〜８７のデータが生成された場合には、当該カード画像８１〜８７の表示態様は、図４（ａ）に示す通りになる。
【００２９】
ステップＳ２において、第１方向移動表示制御部４２は、タッチパネル１６に対してユーザのスクロール操作がなされたか否か検出したか否かを判定する。当該スクロール操作がなされていない場合、ステップＳ２においてＮＯであると判定され、第１方向移動表示制御部４２は、処理をステップＳ２に戻す。したがって、当該スクロール操作がなされるまで、第１方向移動表示制御部４２は、ステップＳ２の判定処理を繰り返すことで、スクロール表示処理を待機状態にする。
一方、当該スクロール操作がなされた場合、ステップＳ２においてＹＥＳであると判定され、処理がステップＳ３に移行される。
【００３０】
ステップＳ３において、第１方向移動量算出部５１は、ステップＳ２において検出されたスクロール操作の第１方向成分を抽出して、抽出した第１方向成分に基づいて、一連の複数のカード画像の各々の第１方向への移動量を算出する。
ステップＳ４において、第１方向移動表示制御部４２は、表示部１７に、カード画像８１〜８７を当該移動量だけ第１方向に移動表示させる。
【００３１】
ステップＳ５において、第２方向移動量算出部５２は、第１方向移動量算出部５１により算出されたカード画像８１〜８７の第１方向成分への移動量に基づいて、カード画像８１〜８７の第２方向又はその逆方向への移動量を算出する。
ステップＳ６において、第２方向移動表示制御部４３は、表示部１７に、カード画像８１〜８７を当該移動量だけ第２方向又はその逆方向に移動表示させる。
【００３２】
なお、説明の便宜上、第１方向への移動表示の処理（ステップＳ３及びＳ４）の後、第２方向への移動表示の処理（ステップＳ５及びＳ６）が実行されているが、これらの処理の順番は特に限定されない。即ち、実際には第１方向への移動表示の処理（ステップＳ３及びＳ４）と、第２方向への移動表示の処理（ステップＳ５及びＳ６）とは独立して並行に実行されるため、処理の順番という点では特に限定されない。
【００３３】
ステップＳ７において、重ね合わせ順番決定部４４は、ステップＳ６の移動表示後における、一連の複数のカード画像の第２方向への各々の変位に基づいて、当該一連の複数のカード画像の各々の重ね合わせ順番を決定する。
ステップＳ８において、重ね合わせ順番決定部４４は、決定された重ね合わせ順番で、一連の複数のカード画像の各々を重ね合わせて表示部１７に表示させる。
【００３４】
ステップＳ９において、第１方向移動表示制御部４２は、一連の複数のカード画像について第１方向への変位が所定量（最大スクロール量）に到達したか否かを判定する。即ち、第１方向移動表示制御部４２は、一連の複数のカード画像が第１方向へ最大限に移動したか否かを判定する。
第１方向への変位が最大スクロール量に到達していない場合、ステップＳ９においてＮＯであると判定され、処理がステップＳ２に移行され、それ以降の処理が繰り返される。即ち、第１方向への変位が最大スクロール量に到達するまで、ステップＳ２乃至Ｓ９のループ処理が繰り返し実行される。
一方、第１方向への変位が最大スクロール量に到達した場合、ステップＳ９においてＹＥＳであると判定され、スクロール表示処理が終了される。
【００３５】
以上説明したように、第１方向への移動表示の処理（ステップＳ３及びＳ４）と、第２方向への移動表示の処理（ステップＳ５及びＳ６）との組み合わせにより、一連の複数のカード画像（図４の例ではカード画像８１〜８７）の各々が全体として略くの字又は略円弧を描くように移動表示される。さらに、ステップＳ７及びＳ８により、一連の複数のカード画像については、第２方向への変位がより大きいものほど、重ね合わせの順番が上位になり、当該重ね合わせの順番で重ね合わされて表示される。
【００３６】
なお、本実施形態では、スクロール表示処理は、ＷｅｂのＨＴＭＬに基づくスクリプト処理により実行される。これにより、スクロール表示処理がより高速に実行される。
【００３７】
以上のように、本実施形態によれば、表示制御装置１は、一連の複数のカード画像（図４の例ではカード画像８１〜８７）の夫々を、スクロール操作の内容に応じて第１方向に沿って移動表示させ、第２方向に沿って往復して移動表示させる。また、表示制御装置１は、一連の複数のカード画像の夫々の表示位置の第２方向への変位に応じて、一連の複数のカード画像の夫々の表示の重ね合わせの順番を決定し、当該順番にしたがって一連の複数のカード画像の夫々を重ね合わせて表示部１７に表示させる。これにより、一連の複数のカード画像の各々が全体として略くの字又は略円弧を描くように移動表示されると共に、一連の複数のカード画像の重ね合わせの順番が画像の第２方向への変位に応じて決定され、当該順番にしたがって一連の複数のカード画像の夫々が重ね合わされて表示部１７に表示される。よって、一連の複数の情報に対応する一連の複数のカード画像の視認性を向上させることができる。
【００３８】
さらに、表示制御装置１は、複数のカード画像の夫々の表示位置の第２方向への変位が大きいものほど、重ね合わせの順番が上位になるように表示させる。したがって、一連の複数のカード画像の各々が全体として略くの字又は略円弧を描くように移動表示されると共に、第２方向への変位が最大の画像が一番上になるように表示される。よって、注目されるべき情報に対応する画像の視認性が向上される。
【００３９】
さらに、表示制御装置１において、複数のカード画像の夫々の表示サイズ（解像度）は一定である。よって、複数のカード画像の表示サイズが動的に変化しなくても、注目されるべき情報に対応するカード画像の視認性が向上される。
【００４０】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００４１】
本実施形態において、第１方向移動表示制御部４２は、タッチパネル１６からユーザのスクロール操作を検出したがこれに限られない。例えば、第１方向移動表示制御部４２は、入力部としてマウスを適用して、マウスからのユーザのスクロール操作を検出してもよい。
【００４２】
本実施形態において、第１方向移動表示制御部４２は、カード画像８１〜８７を第１方向にのみ移動表示させたがこれに限られず、第１方向の逆方向に移動表示させてもよい。
また、本実施形態において、第１方向移動表示制御部４２等は、カード画像８１〜８７の７つの画像を表示制御したが、これに限られず、画像の数は、６つ以下でも、８つ以上でもよい。
【００４３】
また、上述の実施形態では、本発明が適用される表示制御装置１は、タッチパネル式のタブレットを例として説明したが、特にこれに限定されない。
例えば、本発明は、表示機能を有する電子機器一般に適用することができる。具体的には、例えば、本発明は、ノート型のパーソナルコンピュータ、テレビジョン受像機、ビデオカメラ、携帯型ナビゲーション装置、携帯電話機、ポータブルゲーム機等に適用可能である。
【００４４】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が表示制御装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００４５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００４６】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１８に含まれるハードディスク等で構成される。
【００４７】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００４８】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【符号の説明】
【００４９】
１・・・表示制御装置、１１・・・ＣＰＵ、１２・・・ＲＯＭ、１３・・・ＲＡＭ、１４・・・バス、１５・・・入出力インターフェース、１６・・・タッチパネル、１７・・・表示部、１８・・・記憶部、１９・・・通信部、２０・・・ドライブ、３１・・・リムーバブルメディア、４１・・・初期画像表示制御部、４２・・・第１方向移動表示制御部、４３・・・第２方向移動表示制御部、４４・・・重ね合わせ順番決定部、５１・・・第１方向移動量算出部、５２・・・第２方向移動量算出部、８１〜８７・・・カード画像
【図１】
2014026444.tif 000003
【図２】
2014026444.tif 000004
【図３】
2014026444.tif 000005
【図４】
2014026444.tif 000006
【図５】
2014026444.tif 000007